(57)【要約】【課題】簡単に開封することが出来、開封後に保存するための再封性をも有するカップ形状の紙容器を提供する。【解決手段】扇状の胴紙から形成させた円錐台形状の筒部と、筒部の大口径側の一端を塞ぐ底部を有し、小口径側の端部が開放された容器本体と、扇状の第２の胴紙から形成させた筒部と同じ傾斜角を有し、筒部より高さの低い円錐台形状の第２筒部と、第２筒部の小口径側の端部を塞ぐ天部材を有する封止部材と、からなる容器であって、封止部材は、容器本体の開放された小口径側の端部と筒部を覆うように重ねられ、封止部材の胴部の重ねあわされた第２胴接合部の外側の端部につまみ部を設け、つまみ部の上下に２本の弱化線を設けて形成した開封帯を胴部の周方向に設け、開封帯より大口径側に容器本体と封止部材を接着する帯状の接着部を設けたことを特徴とする。【選択図】図１
2011189957.tif 000002
【特許請求の範囲】
【請求項１】
扇状の胴紙の一方の端縁をもう一方の端縁に重ね合わせて胴接合部を形成させた円錐台形状の筒部と、該筒部の大口径側の一端を塞ぐ底部材を有し、小口径側の端部が開放された容器本体と、
扇状の第２の胴紙の一方の端縁をもう一方の端縁に重ね合わせて第２胴接合部を形成させた前記筒部と同じ傾斜角を有し、前記筒部より高さの低い円錐台形状の第２筒部と該第２筒部の小口径側の端部を塞ぐ天部材を有する封止部材と、からなる容器であって、
前記封止部材は、前記容器本体の開放された小口径側の前記端部と前記筒部を覆うように重ねられ、
前記封止部材の胴部の重ねあわされた第２胴接合部の外側の端部につまみ部を設け、該つまみ部の上下に２本の弱化線を設けて形成した開封帯を胴部の周方向に設け、該開封帯より大口径側に前記容器本体と前記封止部材を接着する帯状の接着部を設けた、ことを特徴とする紙容器。
【請求項２】
前記筒部の大口径側の一端が、外側に巻かれたカール部を有し、前記底部材が円形の紙蓋であり、該紙蓋が前記カール部に接着していることを特徴とする請求項１に記載の紙容器。
【請求項３】
前記封止部材の前記天部材の周縁部を絞るようにして下向きに起立させ、前記第２筒部の小口径側の端部内面に前記天部材の周縁部の内面を接合させると共に、前記天部材の前記周縁部を覆うように前記第２筒部の小口径側の前記端部を内方に折り曲げて折り曲げ部を形成させ、該折り曲げ部を前記天部材の周縁部の外面に接合させて環状部を形成させたことを特徴とする請求項１又は２に記載の紙容器。
【発明の詳細な説明】
【技術分野】
【０００１】
本発明は、容器に関するものである。特に紙カップ形状の容器に関するものである。
【背景技術】
【０００２】
従来より紙カップ形状の容器は、いろいろ検討されて来た。例えば、胴紙と底紙とからなり、胴紙の端縁には突出したつまみ部が設けられ、このつまみ部を有する端縁を上面にして胴貼りされ、つまみ部からもう一方の端縁に向けてそのつまみ部の上下端より２本の半切れ状の切れ目線が前記胴紙の表面側に設けられ、前記胴紙の裏面側には、前記表面側に設けられた２本の半切れ状の切れ目線の幅よりも狭幅の２本の半切れ状の切れ目線が設けられ、各々の半切れ状の切れ目線は相互に若干の離隔幅が設けられて帯状の開封片が形成された開封機能付き紙カップがあった。（特許文献１）
また、内カップと外カップの２つのカップを重ね合わせて、収納部を２箇所設けた容器があった。例えば、胴部と前記胴部の周方向に沿って延びる易開封部とを有した外カップと、前記外容器の内側に配置された内カップと、を備え、前記外容器と前記内カップとによって前記内容器の下方に閉空間が形成され、かつ前記外容器の前記易開封部が前記内容器の下縁よりも上方に位置するように前記外容器と前記内容器とが接合されているカップ形状の容器があった。（特許文献２）
公知文献を以下に示す。
【先行技術文献】
【特許文献】
【０００３】
【特許文献１】特開平８−２５８８３３号公報
【特許文献２】特開２００７−１１８９９７号公報
【発明の概要】
【発明が解決しようとする課題】
【０００４】
前述の容器はいずれも開封性は有しているが、開けた後再封することができず、開封が、速やかに内容物を空けなければならず、再度蓋をして保存することの出来ないものであった。
【０００５】
本発明の目的は、簡単に開封することが出来、開封後に保存するための再封性をも有するカップ形状の紙容器を提供することである。
【課題を解決するための手段】
【０００６】
本発明は係る課題に鑑みなされたものであり、請求項１の発明は、扇状の胴紙の一方の端縁をもう一方の端縁に重ね合わせて胴接合部を形成させた円錐台形状の筒部と、該筒部の大口径側の一端を塞ぐ底部材を有し、小口径側の端部が開放された容器本体と、
扇状の第２の胴紙の一方の端縁をもう一方の端縁に重ね合わせて第２胴接合部を形成させた前記筒部と同じ傾斜角を有し、前記筒部より高さの低い円錐台形状の第２筒部と該第２筒部の小口径側の端部を塞ぐ天部材を有する封止部材と、からなる容器であって、
前記封止部材は、前記容器本体の開放された小口径側の前記端部と前記筒部を覆うように重ねられ、
前記封止部材の胴部の重ねあわされた第２胴接合部の外側の端部につまみ部を設け、該つまみ部の上下に２本の弱化線を設けて形成した開封帯を胴部の周方向に設け、該開封帯より大口径側に前記容器本体と前記封止部材を接着する帯状の接着部を設けた、ことを特徴
とする紙容器である。
【０００７】
本発明の容器は、以上のような構成であって、開封帯を切り取り、封止部材上部を持ち上げることにより、開封することが容易にできる。このとき、円錐台となっているので、容易に封止部材上部を容器本体からはずすことができる。
【０００８】
また、再封するときは、封止部材上部を容器本体に被せることによって、再封が可能であり、このときも、封止部材上部の下端の口径は、容器本体の上端の口径より大きく、封止部材上部を容器本体に被せやすく、しかも、容器本体の筒部と封止部材の第２筒部は、同じ傾斜角を有しているので、被せたときにほとんど密着して、密封性があるので、水分や成分の蒸散や、外部からの湿気の進入を防ぎ、内容物を保護することができる。
【０００９】
また、紙を主体とする材料で構成され、金属やプラスチック成形品を用いない紙容器であるので、廃棄するときに分解して分別する必要が無く、また容易につぶすことができるので、減量化して廃棄できる。
【００１０】
更に、金属やプラスチック成形品を用いない紙容器であるので、これらの成形に必要な金型などが不要なので、イニシャルコストがかからない。また、安全衛生面からも優れている。
【００１１】
本発明の請求項２の発明は、前記筒部の大口径側の一端が、外側に巻かれたカール部を有し、前記底部材が円形の紙蓋であり、該紙蓋が前記カール部に接着していることを特徴とする請求項１に記載の紙容器である。
【００１２】
本発明はさらに、筒部の大口径側の一端が、外側に巻かれたカール部を有し、紙蓋をカール部に接着しているので、紙蓋を接着していない容器本体に封止部材を帯状の接着部で接着しておき、内容物を充填後、カール部に紙蓋を接着できるので、充填が容易に出来る。
【００１３】
更に、内容物充填前は、紙蓋を接着していない容器本体と封止部材が一体となったものを、積み重ねられるので、充填前の輸送や保管に場所をとらず、物量コストも少なくて済む。
【００１４】
本発明の請求項３の発明は、前記封止部材の前記天部材の周縁部を絞るようにして下向きに起立させ、前記第２筒部の小口径側の端部内面に前記天部材の周縁部の内面を接合させると共に、前記天部材の前記周縁部を覆うように前記第２筒部の小口径側の前記端部を内方に折り曲げて折り曲げ部を形成させ、該折り曲げ部を前記天部材の周縁部の外面に接合させて環状部を形成させたことを特徴とする請求項１又は２に記載の紙容器である。
【００１５】
天部材周辺の構造を上記のようにしたので、カップ成形機で封止部材の成形が出来る。容器本体もカップ成形機で成形できるので、カップ成形機さえあれば、他は汎用設備で容易加工できるので、ほとんど初期投資の必要が無く、コスト面で有利である。
【発明の効果】
【００１６】
本発明の紙容器は、開封が容易であって、更に、開封後に保存するための再封性をも兼ね備えている。そして、再封したとき、容器本体の筒部と封止部材の第２筒部が密着して、内容物の水分や成分の蒸散や、外部からの湿気の進入を防ぐ、ことが出来、内容物保護性が優れている。
【００１７】
また、廃棄の際も分別の必要が無く、減量化が容易であり、環境にやさしい。カップ成
形機で容器本体と封止部材を成形できるので、初期投資の必要もなく、コスト的にも優れている。
【図面の簡単な説明】
【００１８】
【図１】本発明の紙容器の一例の正面図である。
【図２】本発明の紙容器の一例の断面図である。
【図３】本発明の紙容器の一例の開封帯を切り取り、開封した状態を示す模式的な正面図である。
【図４】本発明の紙容器の一例の開封帯を切り取り、開封した後に再封した状態を示す模式的な正面図である。
【図５】本発明の紙容器の一例の製造方法の模式的な説明図である。
【図６】本発明の紙容器の一例の部品の説明図である。
【発明を実施するための形態】
【００１９】
以下本発明を実施するための形態につき説明する。
本発明の紙容器を構成する材料は、紙に樹脂をコーティングした紙材料からなる。また、他に、アルミニウム箔や無機物の蒸着層を中間層などに用いられていても良い。
【００２０】
具体的には、カップ原紙などの紙を用いて、紙容器の少なくとも最内面になる層に熱溶融性樹脂を設けた紙材料を用いる。熱溶融性樹脂としては、ポリエチレンやポリプロピレン、あるいは、エチレンービニルアルコール共重合体などの樹脂を使用する。
【００２１】
熱溶融性樹脂と紙の間にバリア性層を設けても良い。バリア性層としては、アルミニウム箔などの金属箔を設けてもよく、また、樹脂フィルムに、酸化アルミニウムや酸化ケイ素などを蒸着した蒸着フィルムを設けても良い。また、バリア性のあるポリプロピレン、ナイロン、ポリエチレンテレフタレートなどのポリエステル、エチレンービニルアルコール共重合体などの延伸フィルムあるいは未延伸フィルムを設けても良い。
【００２２】
紙の外面には最内面と同様に、熱溶融性樹脂を設けても良い。また、バリア性のあるポリプロピレン、ナイロン、ポリエチレンテレフタレートなどのポリエステル、エチレンービニルアルコール共重合体などの延伸フィルムあるいは未延伸フィルムを設けても良い。
【００２３】
美粧効果を高めるために、アルミニウム箔を中間層に設け、または、アルミニウムなどの金属を蒸着した蒸着フィルムを用いて、アイキャッチ効果を出しても良い。また、必要に応じて、紙の外側のいずれかの層に印刷層を設けることが出来る。
【００２４】
図１は、本発明の紙容器の一例の正面図、図２は、本発明の紙容器の一例の断面図である。本例の紙容器１は、内容物が充填される容器本体２と、その開口部を覆う封止部材３からなる。
【００２５】
容器本体２は、円錐台形の筒部４と、この筒部４の大口径側の一端を塞ぐ底部材５とからなり、小口径側の端は開放され開口部６となっている。封止部材３は、容器本体２の円錐台形の筒部４と同じ傾斜角で長さの短い円錐台形の第２筒部７と、第２筒部７の小口径側の端部を塞ぐ天部材８とからなっている。
【００２６】
容器本体２の円錐台形の筒部４は、扇状の胴紙の一方の端縁をもう一方の端縁に重ね合わせて胴接合部を形成し、大口径側の端部を外側にカールさせ、１回転以上巻いてカール部９を形成してある。そしてこのカール部９に平坦な紙材料からなる底部材５が熱シールによって設けられ底部を形成している。
【００２７】
封止部材３の円錐台形の第２筒部７は、扇状の第２の胴紙の一方の端縁をもう一方の端縁に重ね合わせて第２胴接合部１０を形成させ、容器本体２の円錐台形の筒部４と同じ傾斜角を有し、筒部４より高さの低い円錐台形状をなしている。
【００２８】
第２筒部７の第２胴接合部１０で重ね合わせて、外側となった端縁の第２胴接合部１０より端側には、つまみ部１１が設けられている。そして、つまみ部１１の上下の端部からは、それぞれ周方向に向かって弱化線１２が設けられていて、２本の弱化線１２に狭まれた開封帯１３が設けられている。
【００２９】
封止部材３の第２筒部７の小口径側の端部に設ける天部材８は、その周縁部を絞るようにして上向きに起立させ、第２筒部７の小口径側の端部の内面に挿入し、天部材８の起立させた周縁部の外面を第２筒部７の小口径側の端部の内面に接合させ、天部材８の周縁部を覆うように第２筒部７の小口径側の端部を内方に折り曲げて折り曲げ部を形成させ、該折り曲げ部を前記天部材の周縁部の内面に接合させて環状部１４を形成している。
【００３０】
そして、容器本体２の開口部６を塞ぐように、封止部材３の天部材８が、且つ、容器本体２の筒部４の外側に沿うように、封止部材３の第２筒部７が来るように、重ねあわされている。そして、開封帯１３の下方で、筒部４と第２筒部７が周方向に帯状の接着部１５（図示しているが、外観から見えない）で接着している。
【００３１】
接着は、筒部４の外面に設けた樹脂層と第２筒部７の内面に設けた樹脂層を熱融着によって接着しても良いし、接着剤で接着しても良い。熱融着で接着する場合は、熱板シールでも良いが、ホットエアーで両樹脂層を加熱溶融させて接着しても良いし、超音波シールで接着しても良い。
【００３２】
この紙容器を開封するには、つまみ部１１を引っ張って、弱化線１２を切断して、開封帯１３を切り取ることによって開封される。図３は、開封した紙容器の状態を表している。開封帯１３を切り取り、開封帯１３より上のキャップ部１８をはずすと、容器本体４の開口部６が現れ、開封することが出来、中身を取り出すことが出来る。
【００３３】
そして、再度、封をするには、図４のように、はずした開封帯１３より上のキャップ部１８で開封部６を覆うように被せればよい。はずしたキャップ部１８の下端の口径は、容器本体２の開口部の口径よりも、大きいので被せやすい。
【００３４】
また、容器本体２の筒部４と封止部材３の第２筒部７は、同じ傾斜角なので、筒部４と第２筒部７が密着して止まり、開封後も、水分や成分の蒸散や、外部からの湿気の進入を防ぎ、内容物を保護することができる。
【００３５】
以下、本発明の紙容器の一例の製造方法と内容物の充填方法について説明する。図５は製造方法の模式的な説明図である。まず、容器本体２の筒部４を作る。扇状の胴紙１７の一方の端縁をもう一方の端縁に重ね合わせて胴接合部１８を形成させ、円錐台形状の筒状体１９とする。筒状体１９の大口径側の一端を、外側に巻いてカール部９を設け、筒部４を作成する。
【００３６】
封止部材３を別途作る。まず、扇状の第２の胴紙２０を用意する。扇状の第２の胴紙２０には、その一方の端縁につまみ部１１を設け、つまみ部１１の上下に各１本の弱化線１２を第２の胴紙２０の扇状の円弧より等距離に設けて開封帯１３を形成した扇状の第２の胴紙２０を作成する。
【００３７】
弱化線１２は、切れやすくするために設けたもので、破線状の切り込みでも良いし、Ｙの字の切り込みを切る方向に下の線が来るようにして並べてもよく、また、表側からまたは裏側からのハーフカット線でも良い。また、ハーフカット線を表裏からずらして設けても良い。
【００３８】
この第２の胴紙２０のつまみ部１１を設けた端縁を他方の端縁の上になるように重ね合わせて第２胴接合部１０を形成させ、容器本体２の筒部４と同じ傾斜角を有し、筒部４より高さの低い円錐台形状の第２筒部７を形成させる。
【００３９】
並行して用意した円形の天部材８の周縁部を絞るようにして下向きに起立させ、第２筒部７の小口径側の端部内面に天部材８の周縁部の外面を接合させると共に、天部材８の周縁部を覆うように第２筒部７の小口径側の端部を内方に折り曲げて折り曲げ部を形成させ、該折り曲げ部を前記天部材の周縁部の外面に接合させて環状部１４を形成させ、封止部材３を作成する。
【００４０】
上記、容器本体２の筒部４と封止部材３の成形は、紙カップの製造ラインを利用して作ることが出来る。
【００４１】
また、別途、紙材料から平らな紙蓋を用意しておき、容器本体２の円形の底部材５とする。これによって、図６に示すように、容器本体２の筒部４と容器本体２の円形の底部材５と封止部材３が出来る。
【００４２】
この封止部材３を、封止部材の天部材８が容器本体２の筒部４の小口径側の端部の開口部６を覆うように、且つ、容器本体２の筒部４の外側に沿って、封止部材３の第２筒部７がかぶさるように、容器本体２に重ね合わせる。そして、容器本体２の筒部４と封止部材３の第２筒部７を開封帯１３より大口径側に設けた帯状の接着部１５で接着する。
【００４３】
この容器本体２の筒部４と封止部材３が接着された状態で、必要に応じてスタッキングさせ（重ね）て、保管したり、輸送したりすれば、そのスペースが少なく出来てコスト的が削減できる。
【００４４】
容器本体２の筒部４と封止部材３が接着されたものを、充填・シールラインに持って行き。内容物を容器本体２に詰め、別途用意された容器本体の円形の底部材５を容器本体２のカール部９を塞ぐように当てて、シール密封する。これにより、内容物が充填された本発明の一例の紙容器１が出来る。
【符号の説明】
【００４５】
１・・・紙容器
２・・・容器本体
３・・・封止部材
４・・・筒部
５・・・底部材
６・・・開口部
７・・・第２筒部
８・・・天部材
９・・・カール部
１０・・・第２胴接合部
１１・・・つまみ部
１２・・・弱化線
１３・・・開封帯
１４・・・環状部
１５・・・接着部
１６・・・キャップ部
１７・・・胴紙
１８・・・胴接合部
１９・・・筒状体
２０・・・第２の胴紙
【図１】
2011189957.tif 000003
【図２】
2011189957.tif 000004
【図３】
2011189957.tif 000005
【図４】
2011189957.tif 000006
【図５】
2011189957.tif 000007
【図６】
2011189957.tif 000008